(57)【特許請求の範囲】
【請求項１】
円柱状で外周に推力ネジが略全長に施され一方の端面に引抜き対象のアンカーボルトのボルトネジに螺合する雌ネジが設けられた引抜きネジ棒と、
厚肉鍔状の台座の内穴中段に内穴を拡開した段穴と、
一端に上記段穴に挿入できる回転軸を備え上記引抜きネジ棒の推力ネジを内部に螺合させる推力雌ネジが長手方向に貫通して設けられた回転ナットと、
上記引抜きネジ棒が螺合された回転ナットの回転軸を上記台座の段穴に回転可能に装着したことを特徴とするアンカーボルト引抜き工具。
【請求項２】
台座の段穴と回転ナットの回転軸の間にスラスト軸受を介在させたことを特徴とする請求項１記載のアンカーボルト引抜き工具
【請求項３】
引抜きネジ棒の雌ネジに引抜き対象のアンカーボルトのボルトネジを螺合し、回転ナットを右回転させてアンカーボルトを引抜く請求項１および請求項２記載のアンカーボルト引抜き工具を用いたアンカーボルト引抜き方法。
【発明の詳細な説明】
【技術分野】
【０００１】本発明はコンクリート基礎に設置されている不要となった拡底型後付けアンカーボルトの引抜きに用いる工具及び引抜き方法に関する。
【背景技術】
【０００２】機械設備等の更新・レイアウト変更に伴い、旧設備を固定していたアンカーボルト先端が床面に突出し、邪魔になるため電動サンダー切断・ガスで切除していた。しかし、商用電源から離れた場所、あるいは火気使用が禁止された場所では引抜く方法を用いらなければならない。アンカーボルトの引抜く方法の用具として例えば特許文献１、特許文献２に示されたものがある。
【先行技術文献】
【特許文献】
【０００３】
【特許文献１】特開２００９−１６７７５３号公報
【特許文献２】実開平０６−２０７６６号公報
【発明の概要】
【発明が解決しようとする課題】
【０００４】先行技術文献に示されたアンカーボルト引抜き用具の特許文献１のものは、油圧ジャッキを用いるもので用具が大型である。また特許文献２のものは予め拡底ピンの頭部を除去しなければならなく手間が多くかかるという課題があった。【０００５】この発明は、上記の課題を解決するものであり、本発明のアンカーボルト引抜き工具は簡単に持ち運びができ、商用電源が無い場所、火花を含め火気の使用が禁止された場所でのアンカーボルト引抜き作業が容易に行えることを目的とする。
【課題を解決するための手段】
【０００６】この発明のアンカーボルト引抜き工具は、外周に推力ネジが施され一方の端面に引抜き対象のアンカーボルトのボルトネジに螺合する雌ネジが設けられた引抜きネジ棒と、厚肉鍔状の台座の内穴中段に内穴を拡開した段穴と、一端に段穴に挿入できる回転軸を備え推力ネジを内部に螺合させる推力雌ネジが長手方向に貫通して設けられた回転ナットからなり、回転ナットの回転軸を段穴に回転可能に装着したものである。【０００７】そして、請求項１のアンカーボルト引抜き工具の段穴と回転軸の間にスラスト軸受を介在させたものである。【０００８】この発明のアンカーボルト引抜き方法は、雌ネジに引抜き対象のアンカーボルトのボルトネジを螺合した状態で、回転ナットを右回転させてアンカーボルトを引抜くものである。
【発明の効果】
【０００９】商用電源が無い場所、火気の使用が禁止された場所において、この発明のアンカーボルト引抜き工具を用いることで、スパナ等でアンカーボルト引抜き作業が容易に行える。【００１０】引抜き対象のアンカーボルトのネジ径に対応した雌ネジを施した引抜きネジ棒を各種準備しておくことで、各種のアンカーボルトの引抜きが可能である。
【発明を実施するための最良の形態】
【００１１】
【実施例】
【００１２】図１は本発明のアンカーボルト引抜き工具の部材構成斜視図、図２は構成部材が組み合わされた状態の部分断図面を示す。
図において、アンカーボルト１はコンクリート基礎に穿たれた孔に埋設部が挿入され、上部のボルトネジ１ａがコンクリート基礎面から突出した状態で、頂部に設けられている拡底ピン１ｂを打ち込み、拡底ピン１ｂに連接された裾部を拡げコンクリート基礎内に固定される。
引抜きネジ棒２は一端にアンカーボルト１のボルトネジ１ａが螺合する雌ネジ２ａを備え、推力ネジ２ｂが外径全般に施され、そして他端に引抜きネジ棒２を回転させるためのスパナ用の六角頭２ｃが設けてある。引抜きネジ棒２は後述の回転ナット３より十分長めに構成されている。【００１３】台座４は厚肉鍔状であり内穴４ａ中段には内穴４ａを拡開した段穴４ｂが設けられている。回転ナット３は筒状で内径に推力ネジ２ｂに螺合する推力雌ネジ３ａが貫通して設けられ、外形は回転ナット３を回転させるスパナ用に六角柱３ｂとなっている。回転ナット３の一端側は段穴４ｂに挿入可能に円柱状に研削した回転軸３ｃになっている。
台座４の内穴４ａに回転軸３ｃが挿入され回転ナット３が段穴４ｂ上で回動自在に取り付けられている。回転軸３ｃの端面は台座４の段穴４ｂに当接し台座４が回転ナット３の下方力を受け止める。【００１４】基本的には上述の構成でもよいが、アンカーボルト１を引抜く時に回転ナット３をスパナ等で回転させた引抜き力が回転軸３ｃの端面が段穴４ｂと当接摺動し、この部分に加わる圧力で摩擦抵抗が大きくなり回転ナット３を回す力が余分に必要となる。【００１５】この発明の目的はアンカーボルト引抜きが手作業で容易に行なえることである。そこで本実施例では、台座４と回転ナット３の間にスラスト軸受５を介在させ、アンカーボルト１引抜時のスパナ等で回転ナット３を回転させる手作業力を軽減させる。
スラスト軸受５は台座４の段穴４ｂにスラスト軸受５の外環を取り付け、内環に回転軸３ｃを挿着し、六角柱３ｂから円柱状の回転軸３ｃにした段差で内環を受け止め、スラスト軸受５を介して台座４と回転ナット３が自在回転可能にしている。そして回転ナット３のアンカーボルト１引抜き力はスラスト軸受５を通じて台座４に受け止めさせる。【００１６】次に、本発明のアンカーボルト引抜き工具での引抜き手順と動作について説明する。
回転ナット３が回転可能に台座４と一体化されてあり、推力雌ネジ３ａに引抜きネジ棒２を雌ネジ２ａが台座４底面近くなる位置に仮ねじ込む。そしてアンカーボルト１のボルトネジ１ａに雌ネジ２ａを螺合させて、六角頭２ｃをスパナ等で締め切るまでねじ込む、これにより引抜きネジ棒２は右回転が止められ、台座４底面はコンクリート基礎面から浮いている。そして回転ナット３を手で右方に回し推力ネジ２ｂと推力雌ネジ３ａ間の推力で台座４底面がコンクリート基礎に当たるまで送る。【００１７】次に、引抜きネジ棒２の右回転が止められているのでスパナ等で回転ナット３を右方に回すと、推力ネジ２ｂと推力雌ネジ３ａ間の推力は引抜きネジ棒２を持ち上げ、同時に雌ネジ２ａに螺着されているアンカーボルト１に持ち上げ力が働く。このときの反力は回転ナット３の段差面３ｂを通じてスラスト軸受５から台座４の段穴４ｂを介してコンクリート基礎面が受け止めて、アンカーボルト１を引抜く力に対抗する。【００１８】コンクリート基礎内のアンカーボルト１裾部の固定力に勝る回転ナット３からの引抜き推力が加えられると、コンクリートを削りながらアンカーボルト１が上昇する。このときコンクリート基礎面のアンカーボルト１周囲にコンクリート粉が堆出する。
このコンクリート粉が推力ネジ２ｂと推力雌ネジ３ａ間に入り込むと回転ナット３の回転に抵抗力が生じる。本工具では台座４底部中央に空間６を設けて、コンクリート粉を空間６に留め、ネジ間への浸入を防いでいる。【００１９】アンカーボルトは固定強度によりボルトネジ径が数種類規格化されている。規格化されたボルトネジ径の雌ネジ２ａを施した引抜きネジ棒２を準備しておき、ボルトネジ径に合わせて引抜きネジ棒２を交換することで、各種規格化されたアンカーボルトに対応可能である。
【図面の簡単な説明】
【００２０】
【図１】  本発明のアンカーボルト引抜き工具の部材構成斜視図
【図２】  本発明のアンカーボルト引抜き工具の構成部材が組み合わされた部分断面図
【００２１】１    アンカーボルト
１ａ  ボルトネジ
２    引抜きネジ棒
２ａ  雌ネジ
２ｂ  推力ネジ
３    回転ナット
３ａ  推力雌ネジ
３ｃ  回転軸
４    台座
４ａ  内穴
４ｂ  段穴
５    スラスト軸受
６    空間
【図１】
0005120674.tif 000002
【図２】
0005120674.tif 000003